(57)【特許請求の範囲】
【請求項１】
第１チャンネルと第２チャンネルとから測定用音声を所定間隔で交互に出力させる測定用音声出力部、
前記測定用音声を集音し、第１チャンネルの測定用音声を観測してから第２チャンネルの測定用音声を観測するまでの時間Ｂおよび第２チャンネルの測定用音声を観測してから第１チャンネルの測定用音声を観測するまでの時間Ｃを測定する測定部、
前記時間Ｂ、前記時間Ｃに基づいて、第２チャンネルの第１チャンネルに対する遅延時間を算出する遅延量設定部、
を備えたことを特徴とする遅延測定装置。
【請求項２】
第１チャンネルと第２チャンネルとから測定用音声を所定間隔で交互に出力させる測定用音声出力ステップ、
前記測定用音声を集音し、第１チャンネルの測定用音声を観測してから第２チャンネルの測定用音声を観測するまでの時間Ｂおよび第２チャンネルの測定用音声を観測してから第１チャンネルの測定用音声を観測するまでの時間Ｃを測定する測定ステップ、
前記時間Ｂ、前記時間Ｃに基づいて、第２チャンネルの第１チャンネルに対する遅延時間を算出する遅延量算出ステップ、
を含むことを特徴とする遅延測定方法。
【請求項３】
第１チャンネルと第２チャンネルとから測定用音声を所定間隔で交互に出力させる測定用音声出力ステップ、
前記測定用音声を集音し、第１チャンネルの測定用音声を観測してから第２チャンネルの測定用音声を観測するまでの時間Ｂおよび第２チャンネルの測定用音声を観測してから第１チャンネルの測定用音声を観測するまでの時間Ｃを測定する測定ステップ、
前記時間Ｂ、前記時間Ｃに基づいて、第２チャンネルの第１チャンネルに対する遅延時間を算出する遅延量算出ステップ、
をコンピュータに実行させることを特徴とするコンピュータプログラム。
【発明の詳細な説明】
【技術分野】
【０００１】
本発明は、音響装置に係り、特に、タイムアライメントのための測定を簡易に行なえる遅延測定装置に関する。
【背景技術】
【０００２】
２台のスピーカを用いた２チャンネルステレオや、５台のスピーカを用いた５．１チャンネル等のマルチチャンネルの音響装置が広く普及している。このような複数台のスピーカを用いた音響装置で再生音を鑑賞する場合、リスニング環境により音響特性が変化する。例えば、リスニングポイントからの各スピーカの距離が異なると、各スピーカからのサウンドの到達時間が異なり、定位感が悪化して音像がぼやけたり、音ずれや位相差によって音が濁ったりして、再生音の品質が低下する場合がある。
【０００３】
例えば、図１３に示すように、音響装置５００にＬｃｈ（左チャンネル）スピーカ５１０ＬとＲｃｈ（右チャンネル）スピーカ５１０Ｒとが接続された場合において、Ｌｃｈスピーカ５１０ＬからリスニングポイントＬＰまでの距離ＤＬよりも、Ｒｃｈスピーカ５１０ＲからリスニングポイントＬＰまでの距離ＤＲが長ければ、Ｒｃｈスピーカ５１０Ｒからのサウンドが遅れてリスニングポイントＬＰに届き、Ｌｃｈスピーカ５１０ＬからのサウンドとＲｃｈスピーカ５１０Ｒからのサウンドとがずれることになる。
【０００４】
この問題を解消するため、各スピーカのサウンドが同時にリスニングポイントに届くように調整するタイムアライメント機能を備えた音響装置が実用化されている。図１４は、タイムアライメント機能を備えた従来の音響装置の例を示す図である。本図に示すように音響装置５２０は、測定部５２１と調整部５２２とを備えており、タイムアライメントのための測定時には、測定部５２１に集音マイク５３０を接続し、集音マイク５３０をリスニングポイントＬＰに配置する。
【０００５】
このような構成において、音響装置５２０は、以下のような動作を行なう。すなわち、タイムアライメントのための測定時において、測定部５２１は、図１５に示すように、時刻ｔＬ０においてＬｃｈスピーカ５１０Ｌから測定用信号を出力する。集音マイク５３０によってこの測定用信号を観測し、測定用信号が観測された時刻ｔＬ１と出力した時刻ｔＬ０との差から、Ｌｃｈスピーカ５１０ＬからリスニングポイントＬＰまでのサウンド到達時間ｄＴＬを算出する。
【０００６】
同様に、時刻ｔＲ０においてＲｃｈスピーカ５１０Ｒから測定用信号を出力する。集音マイク５３０によってこの測定用信号を観測し、測定用信号が観測された時刻ｔＲ１と出力した時刻ｔＲ０との差から、Ｒｃｈスピーカ５１０Ｒからリスニングポイントまでのサウンド到達時間ｄＴＲを算出する。ｄＴＬとｄＴＲとの差は、リスニングポイントにおけるＬｃｈスピーカ５１０ＬからのサウンドとＲｃｈスピーカ５１０Ｒからのサウンドとのずれ時間ｄＴに相当する。
【０００７】
そして、再生時においては、調整部５２２が、ずれ時間ｄＴを解消するような遅延時間を、先にサウンドが到達するチャンネルであるＬｃｈあるいはＲｃｈに与えることで、両スピーカからのサウンドが同時にリスニングポイントに届くように調整される。
【先行技術文献】
【特許文献】
【０００８】
【特許文献１】特開２０００−３５４３００号公報
【発明の概要】
【発明が解決しようとする課題】
【０００９】
しかしながら、従来のタイムアライメントのための測定は、チャンネル毎に、測定用信号の出力時刻と観測時刻との差を管理しなければならず、処理が煩雑になっていた。そこで、本発明は、タイムアライメントのための測定を簡易化させることを目的とする。
【課題を解決するための手段】
【００１０】
上記課題を解決するため、本発明の第１の態様である遅延測定装置は、第１チャンネルと第２チャンネルとから測定用音声を所定間隔で交互に出力させる測定用音声出力部、前記測定用音声を集音し、第１チャンネルの測定用音声を観測してから第２チャンネルの測定用音声を観測するまでの時間Ｂおよび第２チャンネルの測定用音声を観測してから第１チャンネルの測定用音声を観測するまでの時間Ｃを測定する測定部、前記時間Ｂ、前記時間Ｃに基づいて、第２チャンネルの第１チャンネルに対する遅延時間を算出する遅延量設定部、を備えたことを特徴とする。
上記課題を解決するため、本発明の第２の態様である遅延測定方法は、第１チャンネルと第２チャンネルとから測定用音声を所定間隔で交互に出力させる測定用音声出力ステップ、前記測定用音声を集音し、第１チャンネルの測定用音声を観測してから第２チャンネルの測定用音声を観測するまでの時間Ｂおよび第２チャンネルの測定用音声を観測してから第１チャンネルの測定用音声を観測するまでの時間Ｃを測定する測定ステップ、前記時間Ｂ、前記時間Ｃに基づいて、第２チャンネルの第１チャンネルに対する遅延時間を算出する遅延量算出ステップ、を含むことを特徴とする。
上記課題を解決するため、本発明の第３の態様であるコンピュータプログラムは、第１チャンネルと第２チャンネルとから測定用音声を所定間隔で交互に出力させる測定用音声出力ステップ、前記測定用音声を集音し、第１チャンネルの測定用音声を観測してから第２チャンネルの測定用音声を観測するまでの時間Ｂおよび第２チャンネルの測定用音声を観測してから第１チャンネルの測定用音声を観測するまでの時間Ｃを測定する測定ステップ、前記時間Ｂ、前記時間Ｃに基づいて、第２チャンネルの第１チャンネルに対する遅延時間を算出する遅延量算出ステップ、をコンピュータに実行させることを特徴とする。
【発明の効果】
【００１１】
本発明によれば、タイムアライメントのための測定を簡易化することができる。
【図面の簡単な説明】
【００１２】
【図１】本発明の遅延測定装置を音響装置に適用した場合のシステム構成例を示すブロック図である。
【図２】第１実施例における測定用音声出力部の動作を説明するフローチャートである。
【図３】Ｌｃｈスピーカから測定用音声が出力され、所定時間Ａ後に、Ｒｃｈスピーカから測定用音声が出力される様子を示す図である。
【図４】第１実施例における測定部および遅延量設定部の動作を説明するフローチャートである。
【図５】２つの測定用音声が観測された間隔を説明する図である。
【図６】時間Ａと時間Ｂとの差と、音到達時間との関係を説明する図である。
【図７】相関係数を用いた測定用音声の検出について説明する図である。
【図８】第１実施例を多チャンネルに適用した場合を説明する図である。
【図９】第２実施例における測定用音声出力部の動作を説明するフローチャートである。
【図１０】４つの測定用音声が観測された間隔を説明する図である。
【図１１】第２実施例における測定部および遅延量設定部の動作を説明するフローチャートである。
【図１２】４つの測定用音声が観測された間隔を説明する図である。
【図１３】スピーカからの距離の相違によって音がずれる例を示す図である。
【図１４】従来のタイムアライメントのための測定を行なう構成を示す図である。
【図１５】従来のタイムアライメントのための測定を説明する図である。
【発明を実施するための形態】
【００１３】
本発明の実施の形態について図面を参照して詳細に説明する。本発明の遅延測定装置は、チャンネル毎のスピーカから出力された測定用音声がリスニングポイントに到達する時間のチャンネル間の相対的な差を測定し、その差に基づいて、各チャンネルに対して適切な遅延量を設定する装置である。本発明の遅延測定装置は、チャンネル毎のスピーカから出力された測定用音声がリスニングポイントに到達する絶対的な時間を計測することなく、チャンネル間の相対的な時間差を測定するため、タイムアライメントのための測定を簡易に行なうことができる。
【００１４】
図１は、本発明の遅延測定装置を音響装置に適用した場合のシステム構成例を示すブロック図である。遅延測定装置は、据置型の音響装置、車載型の音響装置、可搬型の音響装置等に適用することができる。
【００１５】
本図に示すように、本実施形態に係る音響装置１００は、ユーザが所望する再生用音源データ４００を再生して、再生音をスピーカ２００から出力する装置である。再生用音源データ４００は、例えば、ＣＤ、ＤＶＤ、半導体記録装置等の記録媒体に格納されたデータを読み込んだり、無線等を介して受信することができる。
【００１６】
以下では、音響装置１００が、ユーザの所望する再生用音源データ４００を再生するモードを再生モードと称し、タイムアライメントのための測定を行なって、適切な遅延量を設定するモードを測定モードと称する。再生モードでは、測定モードで設定された遅延量を用いて再生用音源データ４００の再生を行なう。
【００１７】
音響装置１００は、再生部１１０、遅延調整部１２０、音声出力部１３０、遅延測定設定部１５０、切替回路１６０を備えており、これらの構成要素は音響装置１００が備えるＣＰＵ（Central Processing Unit）やＤＳＰ（Digital Signal Processor）等の動作によって実現する。
【００１８】
再生部１１０は、再生用音源データ４００および遅延測定設定部１５０が出力する測定用音源データ１５２の再生を行なう。再生用音源データ４００と測定用音源データ１５２のどちらを再生するかは、遅延測定設定部１５０が切り替える切替回路１６０によって定められる。なお、本図の例では、Ｌｃｈ、Ｒｃｈの２チャンネルのステレオ再生を行なうものとするが、モノラル再生や５．１ｃｈ等のマルチチャネル再生を行なうようにしてもよい。
【００１９】
遅延調整部１２０は、再生モードにおいて、タイムアライメントを行なうために、ＬｃｈあるいはＲｃｈの音声を遅延させる。具体的には、サウンドが遅く到達する方のチャンネルに合わせて、サウンドが早く到達する方のチャンネルを遅延させる。どちらのチャンネルをどの程度遅延させるかは、測定モードにおいて遅延測定設定部１５０によって設定される。３チャンネル以上の場合には、最も遅く到達するチャンネルに合わせて、他のチャンネルを遅延させる。
【００２０】
音声出力部１３０は、再生部１１０の再生音の音量調整を行なってスピーカ２００に出力する。音声出力部１３０は、ＤＡＣ（Digital Analog Converter）や増幅素子等を備えていてもよく、音量調整は、例えば、ユーザからのボリューム（不図示）操作にしたがって行なうようにする。
【００２１】
遅延測定設定部１５０は、測定モードにおいて各チャンネルに対して一定の間隔で順次測定用音声を出力させ、出力された音声を観測する。そして、出力した音声の間隔と観測された音声の間隔とに基づいて、チャンネル毎のスピーカから出力された測定用音声がリスニングポイントＬＰに到達する時間のチャンネル間の相対差を算出し、その差に基づいて、各チャンネルに対して適切な遅延量を設定する。
【００２２】
この処理を行なうため、遅延測定設定部１５０は、測定用音声出力部１５１、測定用音源データ１５２、測定部１５３、遅延量設定部１５４を備えている。なお、遅延測定設定部１５０は、ＣＰＵ等が所定のコンピュータプログラムを実行することにより実現することができる。
【００２３】
測定用音声出力部１５１は、測定モードにおいて、再生部１１０が測定用音源データ１５２を再生するように切替回路１６０を切り替えて、Ｌｃｈ、Ｒｃｈの順に所定の間隔で測定用音声を再生させる。なお、本例では、Ｌｃｈ、Ｒｃｈの順とするが逆であってもよい。
【００２４】
測定部１５３は、リスニングポイントＬＰに設置された集音マイク３００が収集した音声を入力し、各チャンネルのスピーカ２００が出力した測定用音声を観測する。そして、観測された測定用音声の間隔を測定する。
【００２５】
遅延量設定部１５４は、出力した測定用音声の間隔と、観測した測定用音声の間隔とから、チャンネル毎のスピーカから出力された測定用音声がリスニングポイントＬＰに到達する時間のチャンネル間の相対差を算出し、その差に基づいて、いずれかのチャンネルに対する適切な遅延量を算出し、遅延調整部１２０に設定する。例えば、ＬｃｈのサウンドがＲｃｈのサウンドに対して相対的にＸミリ秒遅くリスニングポイントＬＰ到達する場合には、Ｒｃｈに対してＸミリ秒の遅延を設定する。
＜第１実施例＞
【００２６】
次に、本実施形態の測定モードにおける遅延測定設定部１５０の動作の第１実施例について説明する。第１実施例では、Ｌｃｈ、Ｒｃｈとも１回ずつ測定用音声を出力する。図２は、第１実施例における測定用音声出力部１５１の動作を説明するフローチャートである。
【００２７】
測定モードにおいて、測定用音声出力部１５１は、まずＬｃｈから測定用音声を出力する（Ｓ１０１）。そして、所定時間Ａ待機し（Ｓ１０２）、Ｒｃｈから測定用音声を出力する（Ｓ１０３）。測定用音声は、測定用音源データ１５２として記録されたデータを再生したものであり、単一波、ホワイトノイズ、ピンクノイズ、タイムストレッチパルス、パルス等の信号を用いることができる。Ｌｃｈから出力する測定用音声とＲｃｈから出力する測定用音声は同じ音声であっても、異なった音声であってもよいが、例えば、Ｌｃｈの測定用音声とＲｃｈの測定用音声とで周波数を異ならせることにより、受信したときのチャンネル判別を容易にすることができる。
【００２８】
この結果、図３に示すように、Ｌｃｈスピーカ２００Ｌから測定用音声が出力され、所定時間Ａ後に、Ｒｃｈスピーカ２００Ｒから測定用音声が出力される。
【００２９】
図４は、第１実施例における測定部１５３および遅延量設定部１５４の動作を説明するフローチャートである。
【００３０】
まず、測定部１５３は、集音マイク３００からの入力音声を監視し、測定用音声が観測されるのを待つ（Ｓ２０１）。入力音声の監視は、測定用音声出力部１５１が測定用音声を出力する際に開始すればよいが、測定用音声が出力された時刻は管理する必要がない。
【００３１】
測定用音声が観測されると（Ｓ２０１：Ｙｅｓ）、測定部１５３は、時間計測を開始する（Ｓ２０２）。そして、次の測定用音声が観測されるのを待つ（Ｓ２０３）。測定用音声が観測されると（Ｓ２０３：Ｙｅｓ）、時間計測を終了する（Ｓ２０４）。計測された時間は、図５に示すように、２つの測定用音声が観測された時間間隔であり、これを時間Ｂとする。
【００３２】
次に、遅延量設定部１５４が、既知の所定時間Ａと測定された時間Ｂとの差を算出する（Ｓ２０５）。観測された２つの測定用音声は、もともと所定時間Ａの間隔で出力されたものであるため、所定時間Ａと測定時間Ｂとの差は、Ｌｃｈの測定用音声がスピーカ２００Ｌから出力されてから集音マイク３００に到達するまでの時間と、Ｒｃｈの測定用音声がスピーカ２００Ｒから出力されてから集音マイク３００に到達するまでの時間との差に相当する。
【００３３】
すなわち、Ｌｃｈから出力された測定用音声がリスニングポイントＬＰに到達するまでの時間をｄＬとし、Ｒｃｈから出力された測定用音声がリスニングポイントＬＰに到達するまでの時間をｄＲとしたとき、所定時間Ａと測定時間Ｂとの差が０であることは、図６（ａ）に示すように、ｄＬ＝ｄＲを意味し、Ｌｃｈスピーカ２００ＬからリスニングポイントＬＰまでの距離とＲｃｈスピーカ２００ＲからリスニングポイントＬＰまでの距離とが等しく、音ズレが生じないことになる。
【００３４】
また、所定時間Ａより測定時間Ｂが時間ｄｗだけ長い場合には、図６（ｂ）に示すように、ｄＬ＜ｄＲを意味し、Ｌｃｈスピーカ２００ＬからリスニングポイントＬＰまでの距離よりもＲｃｈスピーカ２００ＲからリスニングポイントＬＰまでの距離の方が長く、Ｒｃｈスピーカ２００Ｒからのサウンドが時間ｄｗ（＝ｄＲ−ｄＬ）だけ遅れて到達することになる。
【００３５】
逆に、所定時間Ａより測定時間Ｂが時間ｄｗだけ短い場合には、図６（ｃ）に示すように、ｄＬ＞ｄＲを意味し、Ｌｃｈスピーカ２００ＬからリスニングポイントＬＰまでの距離よりもＲｃｈスピーカ２００ＲからリスニングポイントＬＰまでの距離の方が短く、Ｌｃｈスピーカ２００Ｌからのサウンドが時間ｄｗ（＝ｄＬ−ｄＲ）だけ遅れて到達することになる。
【００３６】
そして、算出した所定時間Ａと測定時間Ｂとの差に基づいて、遅延量設定部１５４が、遅延調整部１２０に対して、適切な遅延量を設定する（Ｓ２０６）。すなわち、早くサウンドが到着する方のチャンネルに対して、時間ｄｗの遅延を設定する。
【００３７】
より一般化すると、測定用音声を先に出力するチャンネルを第１チャンネルとし、所定時間Ａ後に測定用音声を出力するチャンネルを第２チャンネルとし、観測された測定音声の時間差を時間Ｂとした場合、時間Ａ＜時間Ｂであれば、第１チャンネルに対して時間Ｂ−時間Ａの遅延を設定し、時間Ａ＞時間Ｂであれば、第２チャンネルに対して時間Ａ−時間Ｂの遅延を設定する。
【００３８】
ここで、負の遅延量を他方のチャンネルに対する遅延と考えれば、第１チャンネルに対して時間Ｂ−時間Ａの遅延を設定すると表現することもできる。
【００３９】
以上の手順により、遅延量を設定することができるが、設定する遅延量の精度をより高めるために、時間Ｂの測定を複数回行ない、その平均値を用いて遅延量を設定することが望ましい。
【００４０】
なお、測定モードにおいて、測定部１５３が、周囲の雑音や反射音等の中から測定用音声を確実に検出するために、従来から用いられている相関係数を利用することができる。例えば、図７（ａ）に示すような観測波形ｙｉから、図７（ｂ）に示すような測定用音声波形ｘｉを検出する場合、［数１］に示すような相関係数を用い、相関係数が最大となるｉを求めることで測定用音声を特定することができる。なお、式中においてｘバー、ｙバーは、それぞれｘｉ，ｙｉの相加平均を意味する。
【数１】
0005626586.tif 000002
【００４１】
上述の例では、Ｌｃｈ、Ｒｃｈの２チャンネルの場合を説明したが、本発明は、多チャンネルに対しても適用することができる。例えば、１ｃｈ〜５ｃｈの５チャンネルの場合は、図８に示すように、１ｃｈ〜５ｃｈに対して、所定間隔Ａで順次測定用音声を出力させ、１ｃｈの測定用音声を観測してから、２ｃｈ〜５ｃｈの測定用音声を観測するまでの経過時間を、２ｃｈ〜５ｃｈそれぞれについて測定すればよい。なお、各チャンネルから測定用音声を出力する間隔は一定でなくてもかまわないが、簡単のため、所定間隔Ａで出力するものとする。
【００４２】
この測定により、２ｃｈ〜５ｃｈの１ｃｈに対する遅延時間を算出することができる。例えば、１ｃｈとＮｃｈについて、測定用音声の間隔はＡ×（Ｎ−１）時間となり、１ｃｈの測定用音声を観測してから、Ｎｃｈの測定用音声を観測するまでの経過時間がｄＴＮであったとすると、１ｃｈに対するＮｃｈの遅延時間はｄＴＮ−Ａ×Ｎと求められる。そして、１ｃｈに対する遅延時間が最も長いチャンネルの遅延時間と一致するように他の各チャンネルに対して遅延量を設定すればよい。
【００４３】
例えば、２ｃｈ〜５ｃｈの１ｃｈに対する遅延時間が、それぞれ、１ｍ秒、−５ｍ秒、１０ｍ秒、−４ｍ秒であったとすると、４ｃｈが１０ｍ秒で最も遅延時間が長いため、全チャンネルが１０ｍ秒の相対遅延時間となるように、１ｃｈ、２ｃｈ、３ｃｈ、５ｃｈに対して、それぞれ１０ｍ秒、９ｍ秒、１５ｍ秒、１４ｍ秒の遅延を設定すればよい。
＜第２実施例＞
【００４４】
次に、本実施形態の測定モードにおける遅延測定設定部１５０の動作の第２実施例について説明する。第１実施例では、Ｌｃｈ、Ｒｃｈとも１回ずつ測定用音声を出力したが、第２実施例では、Ｌｃｈ、Ｒｃｈが２回ずつ交互に測定用音声を出力する。このため、測定対象の自由度を高めることができる。図９は、第２実施例における測定用音声出力部１５１の動作を説明するフローチャートである。
【００４５】
測定モードにおいて、測定用音声出力部１５１は、まずＬｃｈから測定用音声を出力する（Ｓ３０１）。そして、所定時間Ａ／２待機し（Ｓ３０２）、Ｒｃｈから測定用音声を出力する（Ｓ３０３）。さらに、所定時間Ａ／２待機し（Ｓ３０４）、Ｌｃｈから測定用音声を出力する（Ｓ３０５）。そして、所定時間Ａ／２待機し（Ｓ３０６）、Ｒｃｈから測定用音声を出力する（Ｓ３０７）。
【００４６】
この結果、図１０に示すように、Ｌｃｈスピーカ２００Ｌから測定用音声が出力され、所定時間Ａ／２後に、Ｒｃｈスピーカ２００Ｒから測定用音声が出力される。さらにその所定時間Ａ／２後、すなわち、Ｌｃｈスピーカ２００Ｌから測定用音声が出力されてから所定時間Ａ後に、Ｌｃｈスピーカ２００Ｌから測定用音声が出力され、さらにその所定時間Ａ／２後、すなわち、Ｒｃｈスピーカ２００Ｒから測定用音声が出力されてから所定時間Ａ後に、Ｒｃｈスピーカ２００Ｒから測定用音声が出力される。
る。
【００４７】
図１１は、第２実施例における測定部１５３および遅延量設定部１５４の動作を説明するフローチャートである。第２実施例では、Ｌｃｈスピーカ２００Ｌの測定用音声を観測してからＲｃｈスピーカ２００Ｒの測定用音声を観測するまでの時間Ｂと、Ｒｃｈスピーカ２００Ｒの測定用音声を観測してからＬｃｈスピーカ２００Ｌの測定用音声を観測するまでの時間Ｃについて計測を行なう。
【００４８】
まず、測定部１５３は、集音マイク３００からの入力音声を監視し、測定用音声が観測されるのを待つ（Ｓ４０１）。入力音声の監視は、測定用音声出力部１５１が測定用音声を出力する際に開始すればよいが、測定用音声が出力された時刻は管理する必要がない。
【００４９】
測定用音声が観測されると（Ｓ４０１：Ｙｅｓ）、測定部１５３は、時間Ｂについての時間計測を開始する（Ｓ４０２）。そして、次の測定用音声が観測されるのを待つ（Ｓ４０３）。測定用音声が観測されると（Ｓ４０３：Ｙｅｓ）、時間Ｂについての時間計測を終了するとともに、時間Ｃの計測を開始する（Ｓ４０４）。そして、次の測定用音声が観測されるのを待つ（Ｓ４０５）。測定用音声が観測されると（Ｓ４０５：Ｙｅｓ）、時間Ｃについての時間計測を終了する（Ｓ４０６）。なお、測定用音声は、もう１回観測されるため、時間Ｂを再度測定するようにしてもよい。また、時間Ｂのみ、時間Ｃのみの測定であってもよい。
【００５０】
計測結果は、図１２に示すようになり、Ｌｃｈスピーカ２００Ｌの測定用音声を観測してからＲｃｈスピーカ２００Ｒの測定用音声を観測するまでの時間Ｂと、Ｒｃｈスピーカ２００Ｒの測定用音声を観測してからＬｃｈスピーカ２００Ｌの測定用音声を観測するまでの時間Ｃが測定される。ここで、時間Ｂと時間Ｃとの合計は、所定時間Ａと一致することになる。
【００５１】
次に、遅延量設定部１５４が、既知の所定時間Ａと測定された時間Ｂあるいは時間Ｃを用いて相対遅延時間を算出する（Ｓ４０７）。相対遅延時間は、所定時間Ａ、測定時間Ｂ、時間Ｃのうち、いずれか２つを用いて算出することができる。
【００５２】
すなわち、第２実施例では、測定時間Ｂ＝所定時間Ａ／２（測定時間Ｂ＝測定時間Ｃおよび測定時間Ｃ＝所定時間Ａ／２と同義）であれば、Ｌｃｈスピーカ２００ＬからリスニングポイントＬＰまでの距離とＲｃｈスピーカ２００ＲからリスニングポイントＬＰまでの距離とが等しく、音ズレが生じないことになる。
【００５３】
また、計測時間Ｂ＞所定時間Ａ／２（測定時間Ｃ＜所定時間Ａ／２および測定時間Ｂ＞測定時間Ｃと同義）であれば、Ｌｃｈスピーカ２００ＬからリスニングポイントＬＰまでの距離よりもＲｃｈスピーカ２００ＲからリスニングポイントＬＰまでの距離の方が長く、Ｒｃｈスピーカ２００Ｒからのサウンドが時間Ｂ−時間Ａ／２（Ｂ／２時間−Ｃ／２時間およびＡ／２時間−Ｃ時間と同義）だけ遅れて到達することになる。
【００５４】
逆に、計測時間Ｂ＜所定時間Ａ／２（測定時間Ｃ＞所定時間Ａ／２および測定時間Ｂ＜測定時間Ｃと同義）であれば、Ｒｃｈスピーカ２００ＲからリスニングポイントＬＰまでの距離よりもＬｃｈスピーカ２００ＬからリスニングポイントＬＰまでの距離の方が長く、Ｌｃｈスピーカ２００Ｌからのサウンドが時間Ｃ−時間Ａ／２（Ｃ／２時間−Ｂ／２時間およびＡ／２時間−Ｂ時間と同義）だけ遅れて到達することになる。
【００５５】
そして、算出した相対遅延時間に基づいて、遅延量設定部１５４が、遅延調整部１２０に対して、適切な遅延量を設定する（Ｓ４０８）。すなわち、早くサウンドが到着する方のチャンネルに対して、遅延を設定する。
【００５６】
より一般化して、測定用音声を所定時間Ａ間隔で奇数回目に出力するチャンネルを第１チャンネルとし、第１チャンネルの所定時間Ａ／２後で偶数回目に出力するチャンネルを第２チャンネルとし、奇数回目の測定音声と偶数回目の測定音声との間で観測された時間差を時間Ｂとし、偶数回目の測定音声と奇数回目の測定音声との間で観測された時間差を時間Ｃとする。
【００５７】
この場合、計測時間Ｂ＞所定時間Ａ／２、測定時間Ｃ＜所定時間Ａ／２、測定時間Ｂ＞測定時間Ｃであれば、第１チャンネルに対して時間Ｃ−時間Ａ／２（＝Ｃ／２時間−Ｂ／２時間＝Ａ／２時間−Ｂ時間）の遅延を設定し、計測時間Ｂ＜所定時間Ａ／２、測定時間Ｃ＞所定時間Ａ／２、測定時間Ｂ＜測定時間Ｃであれば、第２チャンネルに対して時間Ｃ−時間Ａ／２（＝Ｃ／２時間−Ｂ／２時間＝Ａ／２時間−Ｂ時間）の遅延を設定する。
【００５８】
ここで、負の遅延量を他方のチャンネルに対する遅延と考えれば、第１チャンネルに対して時間Ｃ−時間Ａ／２（＝Ｃ／２時間−Ｂ／２時間＝Ａ／２時間−Ｂ時間）の遅延を設定すると表現することもできる。
【００５９】
以上、本実施形態の第２実施例について説明した。ただし、本発明は、上述の実施形態に限られない。例えば、上述の実施形態では、測定用音声出力部１５１と測定部１５３とを同一の機器が備えるようにしていたが、測定部１５３は、測定用音声出力部１５１が測定用音声を出力した時刻を管理する必要がないため、別装置として構成してもよい。例えば、測定部１５３を通信端末装置等で構成し、測定用音声出力部１５１を備えた音響装置に対して、無線あるいは有線により測定用音声出力命令を送信することで上述の測定モード動作を開始するようにしてもよい。
【００６０】
また、観測される出力音声の間隔が等しくなるように測定用音声の出力間隔を調整することで、相対遅延時間を測定するようにしてもよい。
【００６１】
また、Ｌｃｈ、Ｒｃｈから測定用音声を出力する際、両チャンネルで同じ再生を行ない、一方をミュートさせることにより、Ｌｃｈ、Ｒｃｈから交互に測定用音声を出力するようにしてもよい。この場合、測定用音源データ１５２としてモノラル音源を用いることができる。
【符号の説明】
【００６２】
１００…音響装置
１１０…再生部
１２０…遅延調整部
１３０…音声出力部
１５０…遅延測定設定部
１５１…測定用音声出力部
１５２…測定用音源データ
１５３…測定部
１５３…測定用音源データ
１５４…遅延量設定部
１６０…切替回路
２００…スピーカ
２００Ｌ…Ｌｃｈスピーカ
２００Ｒ…Ｒｃｈスピーカ
３００…集音マイク
４００…再生用音源データ
５００…音響装置
５１０Ｌ…Ｌｃｈスピーカ
５１０Ｒ…Ｒｃｈスピーカ
５２０…音響装置
５２１…測定部
５２２…調整部
５３０…集音マイク
【図１】
0005626586.tif 000003
【図２】
0005626586.tif 000004
【図３】
0005626586.tif 000005
【図４】
0005626586.tif 000006
【図５】
0005626586.tif 000007
【図６】
0005626586.tif 000008
【図７】
0005626586.tif 000009
【図８】
0005626586.tif 000010
【図９】
0005626586.tif 000011
【図１０】
0005626586.tif 000012
【図１１】
0005626586.tif 000013
【図１２】
0005626586.tif 000014
【図１３】
0005626586.tif 000015
【図１４】
0005626586.tif 000016
【図１５】
0005626586.tif 000017